(57)【要約】      （修正有）【課題】安定して無線通信ができる照明器具を得ること。【解決手段】照明器具１は、筒状のカバー２００と、カバー２００に収納されカバー２００の第１端側２０１から光を出射する光源部４００と、無線信号を受信するアンテナを有する無線ユニット３００と、を有する灯具１０と、カバー２００から引き出されたアーム１００と、備える。アーム１００は、カバー２００の第１端２０１と第１端２０１と反対側の第２端２０２とを繋ぐ中心軸ＣＬとアーム１００とが成す角度が、第１角度から、該第１角度よりも小さい第２角度となるように、該第２端に向かって回転する。無線ユニット３００は、該角度が第１角度の状態で、中心軸ＣＬに対して、アーム１００が引き出される側と反対側に設けられる。【選択図】図１
2020194672.tif 000002
【特許請求の範囲】
【請求項１】
筒状のカバーと、前記カバーに収納され前記カバーの第１端側から光を出射する光源部と、無線信号を受信するアンテナを有する無線ユニットと、を有する灯具と、
前記カバーから引き出されたアームと、
を備え、
前記アームは、前記カバーの前記第１端と前記第１端と反対側の第２端とを繋ぐ中心軸と前記アームとが成す角度が、第１角度から、前記第１角度よりも小さい第２角度となるように、前記第２端に向かって回転し、
前記無線ユニットは、前記角度が前記第１角度の状態で、前記中心軸に対して、前記アームが引き出される側と反対側に設けられることを特徴とする照明器具。
【請求項２】
前記無線ユニットは、前記カバーから外側に突出することを特徴とする請求項１に記載の照明器具。
【請求項３】
前記アンテナは前記カバーの外側に設けられることを特徴とする請求項１または２に記載の照明器具。
【請求項４】
前記カバーには開口部が形成され、
前記無線ユニットは、開口部に設けられることを特徴とする請求項１から３の何れか１項に記載の照明器具。
【請求項５】
前記カバーには、前記アームが通る切り欠きが形成されることを特徴とする請求項１から４の何れか１項に記載の照明器具。
【請求項６】
前記切り欠きは、前記カバーの前記第１端と前記第２端の間から前記第２端まで延びることを特徴とする請求項５に記載の照明器具。
【請求項７】
前記切り欠きは、前記無線ユニットと対向することを特徴とする請求項５または６に記載の照明器具。
【請求項８】
前記カバーに収納され、前記光源部を点灯させる電源ユニットを備えることを特徴とする請求項１から７の何れか１項に記載の照明器具。
【請求項９】
前記電源ユニットは、前記角度が前記第１角度の状態で、前記中心軸に対して、前記アームが引き出される側と反対側に設けられることを特徴とする請求項８に記載の照明器具。
【請求項１０】
前記無線ユニットは、前記アンテナの実装面が前記中心軸に沿った方向を向くように設けられることを特徴とする請求項１から９の何れか１項に記載の照明器具。
【請求項１１】
前記無線ユニットは、前記アンテナの実装面が前記中心軸と交差する方向を向くように設けられることを特徴とする請求項１から９の何れか１項に記載の照明器具。
【発明の詳細な説明】
【技術分野】
【０００１】
本発明は、照明器具に関する。
【背景技術】
【０００２】
特許文献１には、スポットライトが開示されている。このスポットライトは、ＬＥＤ光源を含む灯具と、金属製の電源ケースと、アームとを有する。電源ケースは、ＬＥＤ光源に給電する点灯回路および無線により信号を受信する無線モジュールを収容する。アームは、電源ケースに隙間を介して灯具を連結し、灯具を電源ケースに対して回動可能に支持する。電源ケースの底壁には、無線モジュールに対向した窓孔が設けられている。
【先行技術文献】
【特許文献】
【０００３】
【特許文献１】特開２０１７−５０１５８号公報
【発明の概要】
【発明が解決しようとする課題】
【０００４】
特許文献１の照明器具は、回動する灯具の位置によっては、灯具が窓孔と対向する。このため、無線モジュールの無線通信が灯具に妨げられるおそれがある。
【０００５】
本発明は、上述の課題を解決するためになされたもので、安定して無線通信ができる照明器具を得ることを目的とする。
【課題を解決するための手段】
【０００６】
本発明に係る照明器具は、筒状のカバーと、該カバーに収納され該カバーの第１端側から光を出射する光源部と、無線信号を受信するアンテナを有する無線ユニットと、を有する灯具と、該カバーから引き出されたアームと、を備え、該アームは、該カバーの該第１端と該第１端と反対側の第２端とを繋ぐ中心軸と該アームとが成す角度が、第１角度から、該第１角度よりも小さい第２角度となるように、該第２端に向かって回転し、該無線ユニットは、該角度が該第１角度の状態で、該中心軸に対して、該アームが引き出される側と反対側に設けられる。
【発明の効果】
【０００７】
本発明に係る照明器具では、中心軸とアームとが成す角度が第１角度の状態で、無線ユニットは中心軸に対してアームが引き出される側と反対側に設けられる。このとき、無線ユニットがカバーのうち床面に近い位置に配置される。また、アームが回転しても、無線ユニットによる無線通信がアームに妨げられることを抑制できる。従って、安定して無線通信ができる。
【図面の簡単な説明】
【０００８】
【図１】実施の形態１に係る照明器具の上方斜視図である。
【図２】実施の形態１に係る照明器具の下方斜視図である。
【図３】実施の形態１に係る照明器具を上方から見た場合の分解斜視図である。
【図４】実施の形態１に係る照明器具を下方から見た場合の分解斜視図である。
【図５】実施の形態１に係る無線ユニットの分解斜視図である。
【図６】実施の形態１に係る照明器具の断面図である。
【図７】実施の形態１に係る灯具の回転動作を説明する図である。
【図８】実施の形態１に係る灯具が図７に示される状態から回転した状態を示す図である。
【図９】実施の形態１の第１の変形例に係る照明器具の斜視図である。
【図１０】実施の形態１の第２の変形例に係る照明器具の斜視図である。
【発明を実施するための形態】
【０００９】
本発明の実施の形態に係る照明器具について図面を参照して説明する。同じ又は対応する構成要素には同じ符号を付し、説明の繰り返しを省略する場合がある。
【００１０】
実施の形態１．
図１は、実施の形態１に係る照明器具１の上方斜視図である。図２は、実施の形態１に係る照明器具１の下方斜視図である。照明器具１は、例えばスポットライトである。照明器具１は、ライティングダクト等に取り付けられる。
【００１１】
照明器具１は、アーム１００と、アーム１００に回転自在に固定された灯具１０を備える。アーム１００は、一端が被取付部に取り付けられる。被取付部はライティングダクトである。ライティングダクトはダクトレールとも呼ばれる。これに限らず、被取付部は天井、壁等であっても良い。アーム１００の他端には灯具１０が固定される。アーム１００は被取付部と灯具１０とを接続する。
【００１２】
図３は、実施の形態１に係る照明器具１を上方から見た場合の分解斜視図である。図４は、実施の形態１に係る照明器具１を下方から見た場合の分解斜視図である。アーム１００は、電源電線１１０、接続部１２０および主部１３０を有する。
【００１３】
接続部１２０は、アーム１００の一端側に設けられ、被取付部と接続する。電源電線１１０は、外部電源と灯具１０とを電気的に接続する。電源電線１１０は、接続部１２０を介して外部電源から供給される電力を、灯具１０に供給する。電源電線１１０は主部１３０に沿って設けられる。主部１３０は、接続部１２０と灯具１０とを接続する。主部１３０の接続部１２０と反対側の端部には、連結部１１１が設けられる。アーム１００の連結部１１１には、灯具１０が回動可能に連結される。
【００１４】
灯具１０は、カバー２００と、無線ユニット３００と、光源部４００と、電源ユニット５００とを有している。
【００１５】
カバー２００は筒状である。カバー２００には、光源部４００と電源ユニット５００が収納される。カバー２００には、アーム１００が通る切り欠き２１０が形成される。切り欠き２１０は、カバー２００の第１端２０１と第１端２０１と反対側の第２端２０２との間から、第２端２０２まで延びる。ここで、第１端２０１は光が出射される側である。
【００１６】
また、カバー２００には開口部２２０が形成される。無線ユニット３００は、開口部２２０に設けられる。開口部２２０には無線ユニット３００が挿し込まれる。開口部２２０は、無線ユニット３００に対応した形状を有する。切り欠き２１０と開口部２２０は、カバー２００の径方向において対向する。
【００１７】
光源部４００は、レンズ４１０と、リフレクタ４２０と、発光部４３０とを有している。また、発光部４３０は、発光基板４３１とソケット４３２を有している。図６に示されるように、発光基板４３１は上面に発光素子４３１ａを有する。ソケット４３２は、上部分と下部分とを有する。発光基板４３１は、ソケット４３２の下部分の上に設けられる。ソケット４３２の上部分は、発光素子４３１ａを囲む。ソケット４３２は、上部分と下部分の間に発光基板４３１を挟んで保持する。ソケット４３２は、発光基板４３１をカバー２００の取付部２０４に固定する。
【００１８】
レンズ４１０は、発光部４３０の光出射方向に設けられる。レンズ４１０は、発光素子４３１ａの配光を調節する。リフレクタ４２０はレンズ４１０を囲む。リフレクタ４２０は、レンズ４１０から出射される光を反射させ、配光を調節する。リフレクタ４２０は、２つの部分に分割されている。リフレクタ４２０の２つの部分は、レンズ４１０を側面から挟み込む。以上から、光源部４００はカバー２００の第１端２０１側から光を出射する。
【００１９】
図５は、実施の形態１に係る無線ユニット３００の分解斜視図である。無線ユニット３００は、無線基板３１０と、無線基板３１０を収容するユニットケース３３０とを有している。無線基板３１０には、無線信号を受信するアンテナ３２０が実装されている。アンテナ３２０は、例えば無線基板３１０上に形成されたパターンアンテナである。パターンアンテナは、例えば銅箔で形成される。アンテナ３２０は、無線基板３１０とは別の部品であっても良く、チップアンテナ等であっても良い。
【００２０】
無線基板３１０には、アンテナ３２０が外部から受信した無線信号を制御信号に変換する信号変換部３１１が設けられる。また、無線基板３１０には信号線３１２が接続される。信号線３１２は、変換された制御信号を電源ユニット５００に伝送する。これに限らず、無線ユニット３００は、少なくともアンテナ３２０を有すれば良く、無線信号を受信して電源ユニット５００に伝送できれば良い。
【００２１】
図１、２に示されるように、無線ユニット３００は、カバー２００から外側に突出する。このとき、アンテナ３２０はカバー２００の外側に設けられる。無線ユニット３００は、ユニットケース３３０の図示しない突起などにより、カバー２００と係り合いし、カバー２００に固定される。
【００２２】
図６は、実施の形態１に係る照明器具１の断面図である。図６は図１をＡ−Ｂ直線で切断することで得られる断面図である。なお、Ａ−Ｂ直線は、カバー２００の第１端２０１と、第２端２０２とを繋ぐ中心軸ＣＬに該当する。中心軸ＣＬは、円形である第１端２０１と、円形である第２端２０２との中心を通る仮想線である。
【００２３】
カバー２００は、電源ユニット５００が取り付けられる取付部２０３および光源部４００が取り付けられる取付部２０４を内部に有している。取付部２０４は、中心軸ＣＬと垂直に設けられる。光源部４００は、取付部２０４に保持され、第１端２０１側から光を出射する。
【００２４】
電源ユニット５００は、取付部２０３に保持され、カバー２００内部でアーム１００と反対側に寄せて配置される。また、電源ユニット５００は、カバー２００の第２端２０２側に設けられる。電源ユニット５００は、取付部２０４よりも第２端２０２側に設けられる。
【００２５】
電源ユニット５００は、光源部４００を点灯させる点灯装置である。電源ユニット５００は、電源基板５１０と、電源基板５１０を覆う電源ケース５２０を有している。電源基板５１０の入力端は、電源電線１１０と接続される。また、電源基板５１０の出力端は、光源部４００と接続される。電源基板５１０は、外部電源から電力の供給を受け、発光素子４３１ａを点灯させる電力を生成する。
【００２６】
また、電源ユニット５００に対して、アーム１００と反対側には無線ユニット３００が配置される。電源基板５１０は、信号線３１２によって無線ユニット３００と接続される。電源基板５１０は、無線ユニット３００からの制御信号に応じて、発光素子４３１ａの点灯状態を制御する図示しない制御部を有している。また、制御部は、電源基板５１０とは別基板に設けられ、電源ケース５２０に内蔵されても良い。
【００２７】
なお、信号線３１２による接続に限らず、電源ユニット５００のコネクタと、無線ユニット３００のコネクタとが直接接続されても良い。これにより、容易に無線ユニット３００を着脱できる。
【００２８】
電源ケース５２０は、電源基板５１０を内部に収納した状態で、取付部２０３に固定される。また、電源ケース５２０は、図３、４に示されるように連結部５０１を有する。連結部５０１は、切り欠き２１０と対向する位置に設けられる。連結部５０１は、アーム１００の連結部１１１と連結する。灯具１０は連結部５０１を回転軸として、アーム１００に対して矢印８１に示される方向に回転する。
【００２９】
アーム１００はカバー２００の内部で灯具１０と接続され、カバー２００から引き出される。灯具１０が回転すると、アーム１００は切り欠き２１０に収納される。これにより、アーム１００により灯具１０の回転が妨げられることを防止できる。
【００３０】
図７は、実施の形態１に係る灯具１０の回転動作を説明する図である。図８は、実施の形態１に係る灯具１０が図７に示される状態から回転した状態を示す図である。灯具１０は、例えば図７に示される状態から図８に示される状態まで回転する。灯具１０は、矢印８１、８２に示されるように、被取付部９０から離れる方向または被取付部９０に近づく方向に回転する。つまり、灯具１０は、被取付部９０に対する光源部４００が向く方向が変化するように回転する。灯具１０の回転軸は、例えば被取付部９０と平行である。
【００３１】
図７に示される状態では、中心軸ＣＬとアーム１００とが成す角度θが第１角度である。アーム１００は、角度θが第１角度から、第１角度よりも小さい第２角度となるように、第２端２０２に向かって回転する。
【００３２】
図７に示される状態では、無線ユニット３００はカバー２００から下方に突出する。このため、無線ユニット３００は、カバー２００に対して居室側または床面側に突出する。従って、無線ユニット３００が無線信号を受信しやすい。
【００３３】
次に、図８に示される状態では、無線ユニット３００はカバー２００から水平方向に突出する。本実施の形態では、図６に示されるように、アンテナ３２０の実装面は第１端２０１側を向く。このため、アンテナ３２０はカバー２００の外側で床面方向を向くこととなり、無線信号を受信しやすい。
【００３４】
さらに、カバー２００の切り欠き２１０は、無線ユニット３００と対向する。このため、無線ユニット３００は、切り欠き２１０を通して、カバー２００の反対側からも無線信号を受信できる。なお、無線ユニット３００において、ユニットケース３３０の切り欠き２１０側の部分に、信号伝達用の開口を設けても良い。開口は例えばスリットである。これにより、さらにアンテナ３２０が無線信号を受信し易い状態を実現できる。
【００３５】
このように、本実施の形態では灯具１０の回転に対して、カバー２００の外側に無線ユニット３００が設けられる。本実施の形態では、回転する灯具１０の何れの角度においても、安定して無線通信ができる。従って、アンテナ３２０の放射特性の指向性を抑制できる。
【００３６】
また、本実施の形態では、無線ユニット３００がアーム１００ではなく灯具１０に配置される。これにより、灯具１０に無線通信が妨げられることを抑制でき、アンテナ３２０の放射特性を向上できる。さらに、アームに無線ユニットが設けられる構造と比較して、無線ユニット３００を容易に取付けできる。本実施の形態では、照明器具１が被取付部９０に設置された状態で、無線ユニット３００を着脱できる。
【００３７】
無線ユニット３００は、図７に示されるように角度θが第１角度の状態で、中心軸ＣＬに対して、アーム１００が引き出される側と反対側に設けられれば良い。つまり、無線ユニット３００の少なくとも一部が、カバー２００のうち図８に示されるＸ１側に設けられれば良い。なお、図８においてＸ２側は、アーム１００が引き出される側である。
【００３８】
無線ユニット３００がＸ１側に設けられることで、図７の状態では無線ユニット３００が床面に近い位置に配置される。また、図８の状態においてもアーム１００に無線通信が妨げられることを抑制できる。従って、安定して無線通信ができる。
【００３９】
また、本実施の形態では、無線ユニット３００は、カバー２００のうちアーム１００が引き出される側と反対側に設けられる。従って、無線ユニット３００によりアーム１００の動きが妨げられることを防止できる。
【００４０】
また、図７の状態において、矢印８１と逆方向に灯具１０を回転させる場合、カバー２００とアーム１００が接触し、回転が妨げられる。従って、灯具１０が逆方向に回転することをカバー２００によって防止できる。
【００４１】
また、電源ユニット５００は、角度θが第１角度の状態で、カバー２００の中心軸ＣＬに対して、アーム１００が引き出される側と反対側に設けられる。また、電源ユニット５００は、第２端２０２側に設けられる。この構成によれば、図８の状態からさらに矢印８２と逆方向に灯具１０を回転させる場合、電源ユニット５００とアーム１００とが接触し、回転が妨げられる。従って、灯具１０が逆方向に回転することを電源ユニット５００によって防止できる。
【００４２】
また、図７、８に示されるように、開口部２２０は下方または横方向を向く。開口部２２０は上方を向かないため、無線ユニット３００が装着されない状態において、開口部２２０から埃等が入ることを抑制できる。
【００４３】
また、本実施の形態では、無線ユニット３００を容易に着脱できる。このため、無線通信を使用しない場合には、無線ユニット３００を取り外せば良い。よって、無線通信機能の有無によらず、照明器具１を使用できる。従って、無線通信機能の有無によらず、部材の共通化が図れる。
【００４４】
図９は、実施の形態１の第１の変形例に係る照明器具１ａの斜視図である。照明器具１ａは灯具１０ａを備える。灯具１０ａは無線ユニット３００ａの向きが灯具１０と異なる。図１に示される灯具１０では、無線ユニット３００においてアンテナ３２０の実装面が中心軸ＣＬに沿った方向を向く。この場合、アンテナ３２０を長くすると無線ユニット３００がカバー２００の短手方向に長くなり、無線ユニット３００がカバー２００の短手方向に突出するおそれがある。
【００４５】
これに対し、第１の変形例に係る灯具１０ａでは、無線ユニット３００ａのアンテナ３２０の実装面は、灯具１０ａの回転軸に沿った方向を向く。また、カバー２００ａの開口部２２０ａはカバー２００ａの長手方向に沿って設けられる。開口部２２０ａは、例えばカバー２００ａの第２端２０２ａまでを切り欠くように形成される。
【００４６】
第１の変形例では、無線ユニット３００ａがカバー２００ａの長手方向に沿って設けられる。従って、無線ユニット３００よりもアンテナ３２０を長く形成できる。なお、灯具１０ａにおいて、アンテナ３２０の実装面が中心軸ＣＬと交差する方向を向くように設けられても良い。
【００４７】
図１０は、実施の形態１の第２の変形例に係る照明器具１ｂの斜視図である。照明器具１ｂは、アーム１００ｂと灯具１０ｂとを備える。照明器具１ｂでは、アーム１００ｂに電源ユニット５００ｂが設けられる。灯具１０ｂには電源ユニット５００が設けられない。電源ユニット５００ｂは、アーム１００ｂの接続部と一体になるように設けられている。このような構成によれば、灯具１０ｂの構造を簡易化できる。
【００４８】
また、本実施の形態で説明した技術的特徴は適宜に組み合わせて用いてもよい。
【符号の説明】
【００４９】
１、１ａ、１ｂ  照明器具、１０、１０ａ、１０ｂ  灯具、９０  被取付部、１００、１００ｂ  アーム、１１０  電源電線、１１１  連結部、１２０  接続部、１３０  主部、２００、２００ａ  カバー、２０１  第１端、２０２、２０２ａ  第２端、２０３、２０４  取付部、２１０  切り欠き、２２０、２２０ａ  開口部、３００、３００ａ  無線ユニット、３１０  無線基板、３１１  信号変換部、３１２  信号線、３２０  アンテナ、３３０  ユニットケース、４００  光源部、４１０  レンズ、４２０  リフレクタ、４３０  発光部、４３１  発光基板、４３１ａ  発光素子、４３２  ソケット、５００、５００ｂ  電源ユニット、５０１  連結部、５１０  電源基板、５２０  電源ケース、ＣＬ  中心軸、θ  角度
【図１】
2020194672.tif 000003
【図２】
2020194672.tif 000004
【図３】
2020194672.tif 000005
【図４】
2020194672.tif 000006
【図５】
2020194672.tif 000007
【図６】
2020194672.tif 000008
【図７】
2020194672.tif 000009
【図８】
2020194672.tif 000010
【図９】
2020194672.tif 000011
【図１０】
2020194672.tif 000012